(57)【要約】【課題】  入室管理システムに用いられる非接触ＩＣ媒体用リーダライタ装置で、複数の入室者の非接触ＩＣ媒体からデータの読み取りを行ない入室処理を行う際に、短時間で効率的な入室処理を行えるようにして、１度に大勢の入室者が来た場合でも、待ち時間を少なくできるようにした非接触ＩＣ媒体用リーダライタ装置を提供する。【解決手段】  非接触ＩＣ媒体との間で非接触によりデータの送受信を行うリーダライタ送受信部と、前記リーダライタ送受信部で送信及び受信するデータの制御を行なうリーダライタ本体部とが分離した状態で備えられ、前記リーダライタ送受信部と前記リーダライタ本体部とが、伸縮可能な接続コードにより電気的に接続されてなる非接触ＩＣ媒体用リーダライタ装置であって、前記リーダライタ送受信部が、前記非接触ＩＣ媒体に記憶されたデータに基づいて施錠管理を行なう開閉用ドアのドア本体に設けられている。【選択図】        図1
2008123148.tif 000002
【特許請求の範囲】
【請求項１】
非接触ＩＣ媒体との間で非接触によりデータの送受信を行うリーダライタ送受信部と、前記リーダライタ送受信部で送信及び受信するデータの制御を行なうリーダライタ本体部とが分離した状態で備えられ、前記リーダライタ送受信部と前記リーダライタ本体部とが、伸縮可能な接続コードにより電気的に接続されてなる非接触ＩＣ媒体用リーダライタ装置であって、
前記リーダライタ送受信部が、前記非接触ＩＣ媒体に記憶されたデータに基づいて施錠管理を行なう開閉用ドアのドア本体に設けられていることを特徴とする非接触ＩＣ媒体用リーダライタ装置。
【請求項２】
前記ドア本体が、人物通行用ドアと荷物用ドアの２つのドアを有し、前記人物通行用ドア及び前記荷物用ドアが観音開き可能な状態で備えられ、前記リーダライタ送受信部が、前記人物通行用ドアの入口側壁に設けられ、前記リーダライタ本体部が、前記人物通行用ドアの蝶番付近の壁面に備えられていることを特徴とする請求項１記載の非接触ＩＣ媒体用リーダライタ装置。
【請求項３】
前記ドア本体が、人物通行用ドアと荷物搬入用ドアの２つのドアを有し、前記人物通行用ドア及び前記荷物搬入用ドアが観音開き可能な状態で備えられ、前記リーダライタ送受信部が、前記荷物搬入用ドアの入口側壁に設けられ、前記リーダライタ本体部が、前記荷物搬入用ドアの蝶番付近の壁面に備えられていることを特徴とする請求項１記載の非接触ＩＣ媒体用リーダライタ装置。
【請求項４】
前記リーダライタ送受信部が、取り外し可能に設けられていることを特徴とする請求項１から請求項３に記載されている非接触ＩＣ媒体用リーダライタ装置。
【請求項５】
前記非接触ＩＣ媒体用リーダライタ装置が、セキュリティルームに設置されていることを特徴とする請求項１から請求項４に記載されている非接触ＩＣ媒体用リーダライタ装置。
【発明の詳細な説明】
【技術分野】
【０００１】
本発明は、部屋の入室用ドアの施錠管理を行うために備えられ、非接触ＩＣ媒体に記憶されたデータの読み取りを行う際に使用される非接触ＩＣ媒体用リーダライタ装置に関する。
【背景技術】
【０００２】
従来、不審人物などの入室を防止するなどのセキュリティ対策として、非接触ＩＣ媒体を利用した入室管理システムが採用されている。
これらの入室管理システムは、部屋のドア付近の壁に非接触ＩＣ媒体用リーダライタ装置を設置して、入室者がドアから入室する際に、入室者が所持する非接触ＩＣ媒体に記憶されている認証用データを非接触ＩＣ媒体用リーダライタ装置で読み取り、読み取った認証用データに基づく認証が受けられた場合に、ドアの施錠を開いて入室可能とするシステムであり、既に種々の構成のシステムが公知となっている。（例えば、特許文献１、２、３参照）
【０００３】
【特許文献１】特開２００４−７０４５３号公報
【特許文献２】特開２００５−２３７３４号公報
【特許文献３】特開２００６−１６３８１９号公報
【０００４】
非接触ＩＣ媒体用リーダライタ装置により非接触ＩＣ媒体から非接触でデータの読み取りを行うシステムは、接触式カードシステムに比べてデータ読み取りが効率的に行えるものの、非接触ＩＣ媒体を非接触ＩＣ媒体用リーダライタ装置の近くまで近づかせる必要がある。
また、ドア付近の壁に非接触ＩＣ媒体用リーダライタ装置が備えられている場合であっても、ドアの取手（ノブ）が設けられている側と反対側の壁に非接触ＩＣ媒体用リーダライタ装置が備えられていることが多く、非接触ＩＣ媒体用リーダライタ装置とドアの取手とが離れている場合が多い。
【０００５】
このように非接触ＩＣ媒体用リーダライタ装置とドアの取手とが離れているために、入室者が入室する際の動作として、非接触ＩＣ媒体のデータの読み取らせ行為と、ドアの取手のまわし行為とが別々に動作となり、動作時間がかかりスムーズに入室できないという不便が生じている。
このために、複数の入室者がドア付近に集まって、順次に非接触ＩＣ媒体のデータの読み取りを行わせる場合に、短時間で効率的に入室処理が行なえないので、１度に大勢の入室者が来た場合に、待ち時間がかかるなどの不便があるという問題がある。
【発明の開示】
【発明が解決しようとする課題】
【０００６】
そこで、本発明は、特に入室管理システムに用いられる非接触ＩＣ媒体用リーダライタ装置で、複数の入室者の非接触ＩＣ媒体からデータの読み取りを行ない入室処理を行う際に、短時間で効率的な入室処理を行えるようにして、１度に大勢の入室者が来た場合でも、待ち時間を少なくできるようにした非接触ＩＣ媒体用リーダライタ装置を提供する。
【課題を解決するための手段】
【０００７】
上記の課題を達成するために、本発明の非接触ＩＣ媒体用リーダライタ装置は、非接触ＩＣ媒体との間で非接触によりデータの送受信を行うリーダライタ送受信部と、前記リーダライタ送受信部で送信及び受信するデータの制御を行なうリーダライタ本体部とが分離した状態で備えられ、前記リーダライタ送受信部と前記リーダライタ本体部とが、伸縮可能な接続コードにより電気的に接続されてなる非接触ＩＣ媒体用リーダライタ装置であって、前記リーダライタ送受信部が、前記非接触ＩＣ媒体に記憶されたデータに基づいて施錠管理を行なう開閉用ドアのドア本体に設けられていることを特徴とする。
【０００８】
また、本発明の非接触ＩＣ媒体用リーダライタ装置は、前記ドア本体が、人物通行用ドアと荷物用ドアの２つのドアを有し、前記人物通行用ドア及び前記荷物用ドアが観音開き可能な状態で備えられ、前記リーダライタ送受信部が、前記人物通行用ドアの入口側壁に設けられ、前記リーダライタ本体部が、前記人物通行用ドアの蝶番付近の壁面に備えられていることを特徴とする。
【０００９】
更に、本発明の非接触ＩＣ媒体用リーダライタ装置は、前記ドア本体が、人物通行用ドアと荷物用ドアの２つのドアを有し、前記人物通行用ドア及び前記荷物用ドアが観音開き可能な状態で備えられ、前記リーダライタ送受信部が、前記荷物用ドアの入口側壁に設けられ、前記リーダライタ本体部が、前記荷物用ドアの蝶番付近の壁面に備えられていることを特徴とする。
【００１０】
また、本発明の非接触ＩＣ媒体用リーダライタ装置は、リーダライタ送受信部が、取り外し可能に設けられていることを特徴とする。
【００１１】
また、本発明の非接触ＩＣ媒体用リーダライタ装置は、前記非接触ＩＣ媒体用リーダライタ装置が、セキュリティルームに設置されていることを特徴とする。
【発明の効果】
【００１２】
本発明の非接触ＩＣ媒体用リーダライタ装置は、リーダライタ送受信部だけが、開閉用ドアのドア本体に、取り外し可能に設けられているので、入室者は、非接触ＩＣ媒体のデータをリーダライタ送受信部で読み取らせた後に、直ぐにドアの取手をつかんでまわすなどの動作を行うことができ、短時間で効率的な入室処理を行うことができ、１度に大勢の入室者が来た場合でも、待ち時間を少なくできるという効果がある。
【００１３】
また、本発明の非接触ＩＣ媒体用リーダライタ装置は、ドア本体が、人物通行用ドアと荷物用ドアの２つのドアを有している場合でも、入室者は、非接触ＩＣ媒体のデータをリーダライタ送受信部で読み取らせた後に、直ぐに人物通行用ドアの取手をつかんでまわすなどの動作を行うことができ、短時間で効率的な入室処理を行うことができ、１度に大勢の入室者が来た場合でも、待ち時間を少なくできるという効果がある。
【００１４】
更に、本発明の非接触ＩＣ媒体用リーダライタ装置は、ドア本体が、人物通行用ドアと荷物用ドアの２つのドアを有している場合でも、入室者は、非接触ＩＣ媒体のデータをリーダライタ送受信部で読み取らせた後に、直ぐに荷物用ドアの取手をつかんでまわすなどの動作を行うことができ、短時間で効率的な入室処理を行うことができ、１度に大勢の入室者が来た場合でも、待ち時間を少なくできるという効果がある。
【００１５】
また、本発明の非接触ＩＣ媒体用リーダライタ装置は、リーダライタ送受信部が、取り外し可能に設けられているので、入室者が非接触ＩＣ媒体を胸のポケットなどに入れた状態のままでもデータの読み取りを効率的に行うことができるという効果がある。
【発明を実施するための最良の形態】
【００１６】
以下、本発明の実施形態に係る非接触ＩＣ媒体用リーダライタ装置について、図面に基づいて詳細に説明する。
図１は、本発明の実施形態に係る非接触ＩＣ媒体用リーダライタ装置の概要を説明する図、図２は、本発明の実施形態に係る非接触ＩＣ媒体用リーダライタ装置のシステム構成を示す図である。
【００１７】
本発明の実施形態に係る非接触ＩＣ媒体用リーダライタ装置は、図１に示すように、セキュリティールーム１に備えられている人物通行用ドア２と荷物用ドア３の２つのドアに対応してそれぞれ設けられている。
この人物通行用ドア２と荷物用ドア３とは、観音開きの状態で開けられるようになっており、通常の場合は、人物通行用ドア２を開けて人物が入室し、また、大きな荷物を搬入する際に、人物通行用ドア２だけでは狭くて通れない場合があるので、人物通行用ドア２と共に開けるために用意された荷物用ドア３も同時に開けて、大きな荷物が入れる状態にすることができるようにしてある。
これらの人物通行用ドア２と荷物用ドア３は、入室者が所持する非接触ＩＣ媒体から読み取られたデータに基づき制御される施錠管理装置により施錠の開閉管理が行われる。
また、人物通行用ドア２には、取手４（ドアノブ）が設けられているが、荷物用ドア３には、取手が設けられていないで、入室者は、開錠状態にある時に取手４を持ってまわすことで人物通行用ドア２を開けて入室できるように構成され、また、荷物を搬入する際には、人物通行用ドア２を開けた後に、荷物用ドア３の側面に備えられている留め具を外すことで開けられるように構成されている。
【００１８】
人物通行用ドア２と荷物用ドア３の２つのドアに対応して、それぞれ設けられている非接触ＩＣ媒体用リーダライタ装置は、いずれも入室者が所持する非接触ＩＣ媒体との間で非接触によりデータの送受信を行うことができるリーダライタ送受信部６，８と、前記リーダライタ送受信部６，８で送信及び受信するデータの制御を行なうリーダライタ本体部７，９とから構成され、また、これらのリーダライタ送受信部６，８と、リーダライタ本体部７，９とが分離された構成を有し、それらが接続コード１２，１３で電気的に接続されている。
【００１９】
人物通行用ドア２側に備えられている非接触ＩＣ媒体用リーダライタ装置は、リーダライタ送受信部６が、人物通行用ドア２のドア本体の壁に設けられている。
このリーダライタ送受信部６は、入室者が取り外し可能な状態で設けておくことが好ましい。
また、リーダライタ本体部７が、人物通行用ドアの蝶番１０付近の壁に備えられている。
また、同様に荷物用ドア３側に備えられている非接触ＩＣ媒体用リーダライタ装置は、リーダライタ送受信部８が、荷物用ドア３のドア本体の壁に設けられている。
このリーダライタ送受信部８は、入室者が取り外し可能な状態で設けておくことが好ましい。
また、リーダライタ本体部９が、荷物用ドア３の蝶番１１付近の壁に備えられている。
【００２０】
リーダライタ送受信部８，９が、ドア本体の壁に取り外し可能な状態として備えられている構造とは、リーダライタ送受信部８，９を置くためのポケットを設けたり、その一部に引っ掛けておくためのフックを設けるなど公知の構造を選択することができ、リーダライタ送受信部８，９をドア本体の壁に取り外さない状態でも、非接触ＩＣ媒体を近づけることで非接触ＩＣ媒体からデータの読み取りを行うことができるが、更に、リーダライタ送受信部８，９を壁側から取り外して、非接触ＩＣ媒体に近づけることで非接触ＩＣ媒体からデータの読み取りを行うことができるように構成されている。
【００２１】
リーダライタ送受信部６，８と、リーダライタ本体部７，９とは、伸縮可能な接続コード１２，１３により電気的に接続されており、人物通行用ドア２及び荷物用ドア３を開け閉めさせた場合でも接続コード１２，１３が切断されない状態で接続されている。
また、リーダライタ送受信部６，８は、ドアの取手４付近の位置に設けることが好ましい。
これは、リーダライタ送受信部６，８をドアの取手４付近の位置に設けることで、非接触ＩＣ媒体をリーダライタ送受信部６，８に近づけてデータの読み取りを行わせた後に、直ぐ近くに設けられている取手４を持ってまわしてドアを開けられるので、スムーズで効率的な動作によりドアの処理を行うことができる。
【００２２】
次に、図２に基づいて、本発明の非接触ＩＣ媒体用リーダライタ装置のシステム構成について説明する。
システム構成上、２つの非接触ＩＣ媒体用リーダライタ装置のリーダライタ送受信部６，８とリーダライタ本体部７，９とは同じ構成を有しているので、図２では、人物通行用ドア２側に設けられているリーダライタ送受信部６とリーダライタ送受信部７を一例として説明する。
【００２３】
非接触ＩＣ媒体用リーダライタ装置２０でデータの読み取りを行う非接触ＩＣ媒体１４には、記憶手段１５、制御手段１６、アンテナ１７が備えられている。
記憶手段１５には、予め認証用データが登録されており、アンテナ１７により認証用データがリーダライタ送受信部６で非接触により読み取り可能になっている。
【００２４】
リーダライタ送受信部６には、アンテナ１８、送信手段１９、受信手段２０、インターフェース（Ｉ/Ｆ）２１，２２が備えられている。
インターフェース（Ｉ/Ｆ）２１，２２により、伸縮可能な接続コード１２を介してリーダライタ本体部７に通信可能に接続されている。
これにより、アンテナ１８で非接触ＩＣ媒体１４からデータの読み取りを行った後に、そのデータをリーダライタ本体部７に送信できるように構成されている。
【００２５】
次に、リーダライタ本体部７には、記憶手段２３、電源部２４、制御手段２５、インターフェース（Ｉ/Ｆ）２６，２７，２８が備えられている。
そして、Ｉ/Ｆ２６，２７によりリーダライタ送受信部６のＩ/Ｆ２１，２２に接続され、また、Ｉ/Ｆ２８により施錠管理装置２９に接続されている。
記憶手段２３には、制御プログラムや照合用データなどが記憶されており、リーダライタ送受信部６により非接触ＩＣ媒体１４から読み取られた認証用データをリーダライタ本体部７が受信した際に、記憶手段２３に記憶されている照合用データと照合処理され、照合一致した場合に、施錠管理装置２９に対して開錠処理を行わせるための指示信号が送信されるようにシステム化されている。
【００２６】
上記のように、本発明の非接触ＩＣ媒体用リーダライタ装置は、リーダライタ本体部を壁側に設けて、リーダライタ送受信部だけをドア本体の壁に設けておく構成を有しているので、入室者が入室する際に必要な動作である、非接触ＩＣ媒体１４に記憶されたデータの読み取らせ動作と、ドア３の取手４をつかんでまわす動作とを連続してすばやく行うことが可能で、無駄な動作を少なくすることができるようにしてある。
【図面の簡単な説明】
【００２７】
【図１】本発明の実施形態に係る非接触ＩＣ媒体用リーダライタ装置の概要を説明する図である。
【図２】本発明の実施形態に係る非接触ＩＣ媒体用リーダライタ装置のシステム構成を示す図である。
【符号の説明】
【００２８】
１  セキュリティールーム
２  人物通行用ドア
３  荷物用ドア
４  取手（ドアノブ）
６，８  リーダライタ送受信部
７，９  リーダライタ本体部
１２，１３  接続コード
１４  非接触ＩＣ媒体
１５  記憶手段
１６  制御手段
１７，１８  アンテナ
１９  送信手段
２０  受信手段
２１，２２，２６，２７，２８  インターフェース（Ｉ/Ｆ）
２９  施錠管理装置
【図１】
2008123148.tif 000003
【図２】
2008123148.tif 000004